(57)【特許請求の範囲】
【請求項１】
同じ時間および周波数リソースを有するリソースブロックの複数のレイヤの所定の無線リソース上に割り当てられた参照信号の複数のレイヤを複数の送信ポイントから受信し、スクランブルする方法であって、
前記参照信号の各レイヤを、同じ長さを有する複数の直交カバー・コード（ＯＣＣ）のうちの１つによって選択的に乗算し、前記参照信号のうち、マクロノードに対する第１のレイヤに対して乗算された前記ＯＣＣは、前記参照信号のうち、各ローパワーノード（ＬＰＮ）に対する他のレイヤに対して乗算された前記ＯＣＣとは異なるように設定され、前記マクロノードと前記ＬＰＮのすべてを直交させる、直交化工程と、
前記参照信号の前記他のレイヤのそれぞれに対して乗算された前記ＯＣＣから得られたシンボルのすべてを、さらにシンボル共通スクランブリング系列によって乗算し、一方、前記第１のレイヤに対してはシンボル共通スクランブリング系列によって乗算せず、前記シンボル共通スクランブリング系列は、同一の前記ＯＣＣによって乗算された前記参照信号について互いに異なる、スクランブリング工程と、
前記参照信号の前記各ＬＰＮに対する各レイヤに対して乗算された前記ＯＣＣから得られたシンボルのすべてを、前記参照信号の前記複数のレイヤのすべてに対して共通して設定される異なるシンボル固有スクランブリング系列によってそれぞれ乗算する第２のスクランブリング工程と、
を含み、
前記シンボル共通スクランブリング系列は、
【数１】
0006002243.tif 000056
によって定義される
【数２】
0006002243.tif 000057
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数３】
0006002243.tif 000058
によって初期化され、式中、
【数４】
0006002243.tif 000059
はＩＭ−ＲＳ  ＩＤを示し、
【数５】
0006002243.tif 000060
である、
方法。
【請求項２】
【数６】
0006002243.tif 000061
として表される前記シンボル共通スクランブリング系列は、
【数７】
0006002243.tif 000062
に従って、アンテナ・ポートｐ上の参照シンボルとして使用される複素値変調シンボル
【数８】
0006002243.tif 000063
にマップされ、式中、
【数９】
0006002243.tif 000064
であり、数量（ｋ’，ｌ’）およびｎＳに対する必要条件は、ノーマル・サイクリック・プレフィックスおよび拡張サイクリック・プレフィックスについてそれぞれ３ＧＰＰ  ＴＳ  ３６．２１１  Ｖ１０．４．０における表６．１０．５．２−１および表６．１０．５．２−２によって与えられる、
請求項１に記載の方法。
【請求項３】
前記シンボル固有スクランブリング系列は、
【数１０】
0006002243.tif 000065
によって定義される
【数１１】
0006002243.tif 000066
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数１２】
0006002243.tif 000067
によって初期化され、式中、
【数１３】
0006002243.tif 000068
はＣＳＩ−ＲＳ  ＩＤを示し、
【数１４】
0006002243.tif 000069
であり、
前記シンボル共通スクランブリング系列は、
【数１５】
0006002243.tif 000070
によって定義される
【数１６】
0006002243.tif 000071
として表され、その擬似ランダム系列生成器は、各ＯＦＤＭシンボルの開始の際に
【数１７】
0006002243.tif 000072
によって初期化され、式中、
【数１８】
0006002243.tif 000073
はＩＭ−ＲＳ  ＩＤを示す、
請求項１に記載の方法。
【請求項４】
【数１９】
0006002243.tif 000074
として表される前記シンボル固有スクランブリング系列、および
【数２０】
0006002243.tif 000075
として表される前記シンボル共通スクランブリング系列は、
【数２１】
0006002243.tif 000076
に従って、アンテナ・ポートｐ上の参照シンボルとして使用される複素値変調シンボル
【数２２】
0006002243.tif 000077
にマップされ、式中、
【数２３】
0006002243.tif 000078
であり、数量（ｋ’，ｌ’）およびｎＳに対する必要条件は、ノーマル・サイクリック・プレフィックスおよび拡張サイクリック・プレフィックスについてそれぞれ３ＧＰＰ  ＴＳ  ３６．２１１  Ｖ１０．４．０における表６．１０．５．２−１および表６．１０．５．２−２によって与えられる、
請求項１に記載の方法。
【請求項５】
前記参照信号の前記第１のレイヤに対して乗算された前記ＯＣＣから得られたシンボルのすべてを、前記参照信号の前記他のレイヤに対して乗算された前記シンボル共通スクランブリング系列のうちの１つと同じまたはすべてと異なる別のシンボル共通スクランブリング系列によって乗算する第３のスクランブリング工程を、さらに含む、
請求項１に記載の方法。
【請求項６】
前記シンボル固有スクランブリング系列および前記シンボル共通スクランブリング系列のためのランダム・シード、ならびに前記ＯＣＣは、ユーザ機器にシグナリングされる、または、ポートごとに指定される、
請求項１に記載の方法。
【請求項７】
同じ時間および周波数リソースを有するリソースブロックの複数のレイヤの所定の無線リソース上に割り当てられた参照信号の複数のレイヤをスクランブルする装置であって、
前記参照信号の各レイヤを、同じ長さを有する複数の直交カバー・コード（ＯＣＣ）のうちの１つによって選択的に乗算し、前記参照信号のうち、マクロノードに対する第１のレイヤに対して乗算された前記ＯＣＣは、前記参照信号のうち、各ローパワーノード（ＬＰＮ）に対する他のレイヤに対して乗算された前記ＯＣＣとは異なるように設定され、前記マクロノードと前記ＬＰＮのすべてを直交させる、直交化部と、
前記参照信号の前記他のレイヤのそれぞれに対して乗算された前記ＯＣＣから得られたシンボルのすべてを、さらにシンボル共通スクランブリング系列によって乗算し、一方、前記第１のレイヤに対してはシンボル共通スクランブリング系列によって乗算せず、前記シンボル共通スクランブリング系列は、同一の前記ＯＣＣによって乗算された前記参照信号について互いに異なる、スクランブリング部と、
前記参照信号の前記各ＬＰＮに対する各レイヤに対して乗算された前記ＯＣＣから得られたシンボルのすべてを、前記参照信号の前記複数のレイヤのすべてに対して共通して設定される異なるシンボル固有スクランブリング系列によってそれぞれ乗算する第２のスクランブリング部と、
を備え、
前記シンボル共通スクランブリング系列は、
【数２４】
0006002243.tif 000079
によって定義される
【数２５】
0006002243.tif 000080
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数２６】
0006002243.tif 000081
によって初期化され、式中、
【数２７】
0006002243.tif 000082
はＩＭ−ＲＳ  ＩＤを示し、
【数２８】
0006002243.tif 000083
である、
装置。
【請求項８】
前記参照信号の前記第１のレイヤに対して乗算された前記ＯＣＣから得られたシンボルのすべてを、前記参照信号の前記他のレイヤに対して乗算された前記シンボル共通スクランブリング系列のうちの１つと同じまたはすべてと異なる別のシンボル共通スクランブリング系列によって乗算する第３のスクランブリング部を、さらに備える、
請求項７に記載の装置。
【請求項９】
同じ時間および周波数リソースを有するリソースブロックの複数のレイヤの所定の無線リソース上に割り当てられた参照信号の複数のレイヤを、複数の送信ポイントから受信するユーザ機器であって、
前記複数の送信ポイントから、前記リソースブロックの前記複数のレイヤを受信する送受信部と、
時間領域および／または周波数領域における前記リソースブロックの前記複数のレイヤを検出して、前記参照信号の前記複数のレイヤを得る復調部と、
を備え、
前記参照信号の前記複数のレイヤは、前記複数の送信ポイント側において以下の処理を受けており、すなわち、前記参照信号の各レイヤは、同じ長さを有する複数の直交カバー・コード（ＯＣＣ）のうちの１つによって選択的に乗算され、前記参照信号のうち、マクロノードに対する第１のレイヤに対して乗算された前記ＯＣＣは、前記参照信号のうち、各ローパワーノード（ＬＰＮ）に対する他のレイヤに対して乗算された前記ＯＣＣとは異なるように設定され、前記マクロノードと前記ＬＰＮのすべてを直交させ、前記参照信号の前記他のレイヤのそれぞれに対して乗算された前記ＯＣＣから得られたシンボルのすべては、さらにシンボル共通スクランブリング系列によって乗算され、一方、前記第１のレイヤに対してはシンボル共通スクランブリング系列によって乗算されず、前記シンボル共通スクランブリング系列は、同一の前記ＯＣＣによって乗算された前記参照信号について互いに異なり、前記参照信号の前記各ＬＰＮに対する各レイヤに対して乗算された前記ＯＣＣから得られたシンボルのすべては、前記参照信号の前記複数のレイヤのすべてに対して共通して設定される異なるシンボル固有スクランブリング系列によってそれぞれ乗算され、
前記シンボル共通スクランブリング系列は、
【数２９】
0006002243.tif 000084
によって定義される
【数３０】
0006002243.tif 000085
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数３１】
0006002243.tif 000086
によって初期化され、式中、
【数３２】
0006002243.tif 000087
はＩＭ−ＲＳ  ＩＤを示し、
【数３３】
0006002243.tif 000088
である、
ユーザ機器。
【請求項１０】
前記参照信号の前記第１のレイヤに対して乗算された前記ＯＣＣから得られたシンボルのすべては、前記参照信号の前記他のレイヤに対して乗算された前記シンボル共通スクランブリング系列のうちの１つと同じまたはすべてと異なる別のシンボル共通スクランブリング系列によって乗算される、
請求項９に記載のユーザ機器。
【請求項１１】
同じ時間および周波数リソースを有するリソースブロックの複数のレイヤの所定の無線リソース上に割り当てられた参照信号の複数のレイヤをスクランブルする方法であって、前記参照信号の前記複数のレイヤは、第１のセットと第２のセットにグループ分けされ、前記方法は、
前記参照信号の各レイヤを、同じ長さを有する複数の直交カバー・コード（ＯＣＣ）のうちの１つによって選択的に乗算し、マクロノードに対する前記第１のセットに対して乗算された前記ＯＣＣは、各ローパワーノード（ＬＰＮ）に対する前記第２のセットに対して乗算された前記ＯＣＣとは異なるように設定され、前記マクロノードと前記ＬＰＮのすべてを直交させる、直交化工程と、
前記参照信号の前記他のレイヤのそれぞれに対して乗算された前記ＯＣＣから得られたシンボルのすべてを、さらにシンボル共通スクランブリング系列によって乗算し、一方、前記第１のレイヤに対してはシンボル共通スクランブリング系列によって乗算せず、前記シンボル共通スクランブリング系列は、同一の前記ＯＣＣによって乗算された前記参照信号について互いに異なる、スクランブリング工程と、
前記参照信号の前記各ＬＰＮに対する各レイヤに対して乗算された前記ＯＣＣから得られたシンボルのすべてを、前記参照信号の前記複数のレイヤのすべてに対して共通して設定される異なるシンボル固有スクランブリング系列によってそれぞれ乗算する第２のスクランブリング工程と、
を含み、
前記シンボル共通スクランブリング系列は、
【数３４】
0006002243.tif 000089
によって定義される
【数３５】
0006002243.tif 000090
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数３６】
0006002243.tif 000091
によって初期化され、式中、
【数３７】
0006002243.tif 000092
はＩＭ−ＲＳ  ＩＤを示し、
【数３８】
0006002243.tif 000093
である、
方法。
【請求項１２】
【数３９】
0006002243.tif 000094
として表される前記シンボル共通スクランブリング系列は、
【数４０】
0006002243.tif 000095
に従って、アンテナ・ポートｐ上の参照シンボルとして使用される複素値変調シンボル
【数４１】
0006002243.tif 000096
にマップされ、式中、
【数４２】
0006002243.tif 000097
であり、数量（ｋ’，ｌ’）およびｎＳに対する必要条件は、ノーマル・サイクリック・プレフィックスおよび拡張サイクリック・プレフィックスについてそれぞれ３ＧＰＰ  ＴＳ  ３６．２１１  Ｖ１０．４．０における表６．１０．５．２−１および表６．１０．５．２−２によって与えられる、
請求項１１に記載の方法。
【請求項１３】
前記シンボル固有スクランブリング系列は、
【数４３】
0006002243.tif 000098
によって定義される
【数４４】
0006002243.tif 000099
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数４５】
0006002243.tif 000100
によって初期化され、式中、
【数４６】
0006002243.tif 000101
はＣＳＩ−ＲＳ  ＩＤを示し、
【数４７】
0006002243.tif 000102
であり、
前記シンボル共通スクランブリング系列は、
【数４８】
0006002243.tif 000103
によって定義される
【数４９】
0006002243.tif 000104
として表され、その擬似ランダム系列生成器は、各ＯＦＤＭシンボルの開始の際に
【数５０】
0006002243.tif 000105
によって初期化され、式中、
【数５１】
0006002243.tif 000106
はＩＭ−ＲＳ  ＩＤを示す、
請求項１１に記載の方法。
【請求項１４】
【数５２】
0006002243.tif 000107
として表される前記シンボル固有スクランブリング系列、および
【数５３】
0006002243.tif 000108
として表される前記シンボル共通スクランブリング系列は、
【数５４】
0006002243.tif 000109
に従って、アンテナ・ポートｐ上の参照シンボルとして使用される複素値変調シンボル
【数５５】
0006002243.tif 000110
にマップされ、式中、
【数５６】
0006002243.tif 000111
であり、数量（ｋ’，ｌ’）およびｎＳに対する必要条件は、ノーマル・サイクリック・プレフィックスおよび拡張サイクリック・プレフィックスについてそれぞれ３ＧＰＰ  ＴＳ  ３６．２１１  Ｖ１０．４．０における表６．１０．５．２−１および表６．１０．５．２−２によって与えられる、
請求項１１に記載の方法。
【請求項１５】
前記シンボル共通スクランブリング系列および前記シンボル固有スクランブリング系列のためのランダム・シード、ならびに前記ＯＣＣは、ユーザ機器にシグナリングされる、または、ポートごとに指定される、
請求項１１に記載の方法。
【請求項１６】
同じ時間および周波数リソースを有するリソースブロックの複数のレイヤの所定の無線リソース上に割り当てられた参照信号の複数のレイヤをスクランブルする装置であって、前記参照信号の前記複数のレイヤは、第１のセットと第２のセットにグループ分けされ、  前記装置は、
前記参照信号の各レイヤを、同じ長さを有する複数の直交カバー・コード（ＯＣＣ）のうちの１つによって選択的に乗算し、マクロノードに対する前記第１のセットに対して乗算された前記ＯＣＣは、各ローパワーノード（ＬＰＮ）に対する前記第２のセットに対して乗算された前記ＯＣＣとは異なるように構成され、前記マクロノードと前記ＬＰＮのすべてを直交させる、直交化部と、
前記参照信号の各レイヤに対して乗算された前記ＯＣＣから得られたシンボルのすべてを、さらにシンボル共通スクランブリング系列によって乗算し、一方、前記第１のレイヤに対してはシンボル共通スクランブリング系列によって乗算せず、前記シンボル共通スクランブリング系列は、同一の前記ＯＣＣによって乗算された前記参照信号について互いに異なる、スクランブリング部と、
前記参照信号の各レイヤに対して乗算された前記ＯＣＣから得られたシンボルのすべてを、前記参照信号の前記複数のレイヤのすべてに対して共通して設定される異なるシンボル固有スクランブリング系列によってそれぞれ乗算する第２のスクランブリング部と、
を備え、
前記シンボル共通スクランブリング系列は、
【数５７】
0006002243.tif 000112
によって定義される
【数５８】
0006002243.tif 000113
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数５９】
0006002243.tif 000114
によって初期化され、式中、
【数６０】
0006002243.tif 000115
はＩＭ−ＲＳ  ＩＤを示し、
【数６１】
0006002243.tif 000116
である、
装置。
【請求項１７】
同じ時間および周波数リソースを有するリソースブロックの複数のレイヤの所定の無線リソース上に割り当てられた参照信号の複数のレイヤを、複数の送信ポイントから受信するユーザ機器であって、前記参照信号の前記複数のレイヤは、第１のセットと第２のセットにグループ分けされ、前記ユーザ機器は、
前記複数の送信ポイントから、前記リソースブロックの前記複数のレイヤを受信する送受信部と、
時間領域および／または周波数領域における前記リソースブロックの前記複数のレイヤを検出して、前記参照信号の前記複数のレイヤを得る復調部と、
を備え、
前記参照信号の前記複数のレイヤは、前記複数の送信ポイント側において以下の処理を受けており、すなわち、前記参照信号の各レイヤは、同じ長さを有する複数の直交カバー・コード（ＯＣＣ）のうちの１つによって選択的に乗算され、前記参照信号のレイヤのうち、マクロノードに対する前記第１のセットに対して乗算された前記ＯＣＣは、各ローパワーノード（ＬＰＮ）に対する前記第２のセットに対して乗算された前記ＯＣＣとは異なるように設定され、前記マクロノードと前記ＬＰＮのすべてを直交させ、前記参照信号の各レイヤに対して乗算された前記ＯＣＣから得られたシンボルのすべては、さらにシンボル共通スクランブリング系列によって乗算され、一方、前記第１のレイヤに対してはシンボル共通スクランブリング系列によって乗算されず、前記シンボル共通スクランブリング系列は、同一の前記ＯＣＣによって乗算された前記参照信号について互いに異なり、前記参照信号の前記各ＬＰＮに対する各レイヤに対して乗算された前記ＯＣＣから得られたシンボルのすべては、前記参照信号の前記複数のレイヤのすべてに対して共通して設定される異なるシンボル固有スクランブリング系列によってそれぞれ乗算され、
前記シンボル共通スクランブリング系列は、
【数６２】
0006002243.tif 000117
によって定義される
【数６３】
0006002243.tif 000118
として表され、式中、ｎｓは無線フレーム内のスロット番号であり、ｌはスロット内のＯＦＤＭシンボル番号であり、擬似ランダム系列ｃ（ｉ）は、３ＧＰＰ  ＴＳ  ３６．２１１  Ｖ１０．４．０の７．２節で定義され、その擬似ランダム系列生成器は、各ＯＦＤＭシンボルの開始の際に
【数６４】
0006002243.tif 000119
によって初期化され、式中、
【数６５】
0006002243.tif 000120
はＩＭ−ＲＳ  ＩＤを示し、
【数６６】
0006002243.tif 000121
である、
ユーザ機器。
【発明の詳細な説明】
【技術分野】
【０００１】
本開示は、通信システムにおける信号多重化方法および参照信号設計の分野に関する。
【背景技術】
【０００２】
基地局間協調は、セルラシステムにおけるセル間干渉を緩和するための重要な手段であり、ワイヤレス通信システムの標準化の第４世代において集中的に論じられている。仕様ではＪＴ（Joint Transmission）、協調ビームフォーミング、動的ポイント選択などの柔軟なＣｏＭＰ（Coordinate Multiple Points）動作を可能にすることが重要である。
【０００３】
異なるＣｏＭＰ動作は異なるＣＱＩ（Channel Quality Indicator）計算仮定を必要とすることに注意が必要である。例えば、ＪＴ送信の場合、ＵＥ（ユーザ機器）は、ＰＤＳＣＨ（物理ダウンリンク共有チャネル）をＵＥに送信する複数のセル（送信ポイント）に信号電力が由来し、他のセルは干渉セルであると仮定することになる。しかし、ＣＢ（協調ビームフォーミング）送信の場合、ＵＥは、信号電力が１つのセルのみに由来し、他のセルは干渉セルであると仮定することになる。一般的に、信号電力は、対応するセルからのＣＳＩ−ＲＳ（Channel Status Information Reference Signal）に基づいて測定することができる。これは、現行の技術（３ＧＰＰ（3rd Generation Partnership Project）のＲｅｌ−８／Ｒｅｌ−１０）と同様である。しかし、干渉測定の現行技術は、干渉電力全体（サービング・セルを除くすべてのセルからの干渉）のみを測定するため、十分に機能しない。一般的に、Ｒｅｌ−１１以降では、柔軟なＣｏＭＰ動作をより適切に取り扱うために、各ＴＰ（送信ポイント）からの干渉を測定できることが好ましい。したがって、基地局協調のために新しい干渉測定のメカニズムが必要とされる。
【０００４】
ＴＰごとの干渉測定を可能にする１つの方法は、干渉測定を目的とするＴＰ毎の参照信号を送信させることである。これらの参照信号は、時間−周波数リソースの空間的再使用を容易に可能にするために時間および周波数領域で重複させられることがある。標準化の労力を減らすために、Ｒｅｌ−８／Ｒｅｌ−１０におけるＣＳＩ−ＲＳ構成の再利用は魅力的な選択肢となるはずである。
【０００５】
ＣＳＩ−ＲＳ構成の再利用には２つの意味が含まれている。第１の意味は、ＣＳＩ−ＲＳの時間および周波数位置を再利用することであり、第２の意味は、ＣＳＩ−ＲＳのＯＣＣ（直交カバー・コード）およびスクランブリング系列を再利用することである。レガシＵＥに対して生じうる影響を避けるために、ＣＳＩ−ＲＳの時間および周波数位置を再利用することが強く望まれる。しかし、ＯＣＣおよびスクランブリング系列を再利用することは、ヘテロジニアスネットワークではいくつかの欠点がある。したがって、新しいＯＣＣおよびスクランブリングが更に研究されうる。改良されたＯＣＣおよびスクランブリングはレガシＵＥの性能を低下させないことに注意が必要である注意が必要である。
【０００６】
干渉測定の目的でＣＳＩ−ＲＳの時間および周波数位置を再利用するＲＳ（参照信号）は、ＩＭ−ＲＳ（Interference Measurement Reference Signal）と呼ばれることがある。図１は、複数の異なるＴＰからのＩＭ−ＲＳ構成の例を示す。図１では、３つの異なるＴＰ、すなわちＴＰ１、ＴＰ２およびＴＰ３からのＩＭ−ＲＳが、異なるデスクランブリングによって（図１において黒で塗りつぶされた四角形で示される）同じ時間および周波数位置上で送信される。つまり、異なるＴＰは、同じＩＭ−ＲＳ構成（時間および周波数位置）に基づくが異なるようにスクランブルされる１ポートＩＭ−ＲＳを送信する。ＵＥは、デスクランブリング後にそれぞれの干渉電力を計算する。
【０００７】
ヘテロジニアスネットワークにおける従前のＯＣＣおよびスクランブリングの問題は次の通りである。ヘテロジニアスネットワークにおいて、ＵＥは、トラフィック負荷軽減のために比較的低い受信電力を有するＴＰに関連付けられることがある。より具体的には、ＵＥがＬＰＮ（Low Power Node）に関連付けられ、マクロ・ノードからの受信電力はＬＰＮからの電力よりも非常に大きくなることがある。この場合、ＵＥが、関連するポートのデスクランブリングを介して別のＬＰＮからの干渉電力を推定しようとするとき、マクロ・ノードからの残りの干渉は、当該別のＬＰＮからの干渉電力よりも非常に大きくなることがある。これは別のＬＰＮの干渉電力推定が非常に不正確であることを示唆する。サブバンドＣＱＩの計算では、スクランブリング系列がより短いため、その影響はより深刻である。
【０００８】
図２および図３を参照して、例示的なヘテロジニアスネットワークの詳細な分析をする。図２は、ヘテロジニアス配置の例を示し、図３は、図２の場合のＩＭ−ＲＳスクランブリング構成の例を示す。図２において、ＵＥが、サービング送信ポイントとして機能するＬＰＮ１からデータを受け取りたいと望む場合、ＬＰＮ２、ＬＰＮ３およびマクロ・ノードが干渉送信ポイントとみなされている。例えば、マクロ・ノードは、ＬＰＮ１、ＬＰＮ２、およびＬＰＮ３の送信電力よりも非常に大きい４６ｄＢｍの送信電力を有する。図３に示すように、ＬＰＮ１、ＬＰＮ２、ＬＰＮ３、およびマクロ・ノードのＩＭ−ＲＳは、Ｒｅｌ−１０のような従前のＯＣＣおよびスクランブリングに基づいて構成される。詳細には、ＩＭ−ＲＳの４つのレイヤが、２つの長さ２のＯＣＣ［１，１］、［１，−１］、および２つのスクランブリング系列セット［Ｓ１，Ｓ２］、［Ｓ３，Ｓ４］によって、同じ時間および周波数リソース上に多重化される。つまり、マクロ・ノードおよびＬＰＮ２にはＯＣＣ［１，１］が割り当てられるのに対し、ＬＰＮ１およびＬＰＮ３にはＯＣＣ［１，−１］が割り当てられる。系列Ｓ１、Ｓ２はそれぞれ、マクロ・ノードとＬＰＮ１の両方についてのＯＣＣの２つのシンボルに対して乗算され、系列Ｓ１、Ｓ２とは異なる系列Ｓ３、Ｓ４はそれぞれ、ＬＰＮ２とＬＰＮ３の両方についてのＯＣＣの２つのシンボルに対して乗算される。ここで、系列Ｓ１とＳ２は互いに独立しており、系列Ｓ３とＳ４も同様である。このような場合、ＵＥにおけるＣＱＩ計算では、干渉送信ポイントであるＬＰＮ２、ＬＰＮ３およびマクロ・ノードのそれぞれからの干渉を知る必要がある。ＬＰＮ２を例に取ると、ＬＰＮ２からの測定された干渉は次式（１）によって計算される。
【数１】
0006002243.tif 000002
【０００９】
式中、ＰＬＰＮ１は、ＵＥがＬＰＮ１から受け取る電力を示し、記号「＊」は、共役を示す。式（１）において
【数２】
0006002243.tif 000003
はゼロであるが、
【００１０】
【数３】
0006002243.tif 000004
および
【数４】
0006002243.tif 000005
はゼロではない。したがって、ＬＰＮ３からの干渉はうまく取り除かれるが、ＬＰＮ１およびマクロ・ノードからの干渉は、依然として、ＬＰＮ２からの測定された干渉に影響を与える。特に、ＰｍａｃｒｏはＰＬＰＮ２よりも非常に大きいため、ＬＰＮ２についての干渉推定は非常に不正確である。
【００１１】
したがって、最も強い受信電力を有することもそうでないこともある１つまたは複数の送信ポイントからの干渉電力をいかに正確に推定するかを解決する必要がある。
【先行技術文献】
【非特許文献】
【００１２】
【非特許文献１】３ＧＰＰ仕様書ＴＳ３６．２１１
【発明の概要】
【課題を解決するための手段】
【００１３】
本開示の一態様では、同じ時間および周波数リソースを有するリソースブロックの複数のレイヤの所定の無線リソース上に割り当てられた参照信号の複数のレイヤをスクランブルする方法であって、前記参照信号の各レイヤを、同じ長さを有する複数の直交カバー・コード（ＯＣＣ）のうちの１つによって選択的に乗算し、前記参照信号の第１のレイヤに対して乗算された前記ＯＣＣは、前記参照信号の他のレイヤに対して乗算された前記ＯＣＣとは異なるように設定される、直交化工程と、前記参照信号の前記他のレイヤのそれぞれに対して乗算された前記ＯＣＣから得られたシンボルのすべてを、シンボル共通スクランブリング系列によって乗算し、前記シンボル共通スクランブリング系列は、同一の前記ＯＣＣによって乗算された前記参照信号について互いに異なる、スクランブリング工程と、を含む方法が提供される。
【００１４】
本開示の別の態様では、同じ時間および周波数リソースを有するリソースブロックの複数のレイヤの所定の無線リソース上に割り当てられた参照信号の複数のレイヤをスクランブルする装置であって、前記参照信号の各レイヤを、同じ長さを有する複数の直交カバー・コード（ＯＣＣ）のうちの１つによって選択的に乗算し、前記参照信号の第１のレイヤに対して乗算されたＯＣＣは、前記参照信号の他のレイヤに対して乗算されたＯＣＣとは異なるように設定される、直交化部と、前記参照信号の前記他のレイヤのそれぞれに対して乗算されたＯＣＣから得られたシンボルのすべてを、シンボル共通スクランブリング系列によって乗算し、前記シンボル共通スクランブリング系列は、同一の前記ＯＣＣによって乗算された前記参照信号について互いに異なる、スクランブリング部と、を備える装置が提供される。
【００１５】
本開示のさらなる態様では、同じ時間および周波数リソースを有するリソースブロックの複数のレイヤの所定の無線リソース上に割り当てられた参照信号の複数のレイヤを、複数の送信ポイントから受信するユーザ機器であって、前記複数の送信ポイントから、前記リソースブロックの前記複数のレイヤを受信する送受信部と、時間領域および／または周波数領域における前記リソースブロックの複数のレイヤを検出して、前記参照信号の複数のレイヤを得る復調部と、を備え、前記参照信号の前記複数のレイヤは、複数の送信ポイント側において以下の処理を受けており、すなわち、前記参照信号の各レイヤは、同じ長さを有する複数の直交カバー・コード（ＯＣＣ）のうちの１つによって選択的に乗算され、前記参照信号の第１のレイヤに対して乗算された前記ＯＣＣは、前記参照信号の他のレイヤに対して乗算された前記ＯＣＣとは異なるように構成され、前記参照信号の他のレイヤのそれぞれに対して乗算された前記ＯＣＣから得られたシンボルのすべては、シンボル共通スクランブリング系列によって乗算され、前記シンボル共通スクランブリング系列は、同一の前記ＯＣＣによって乗算された前記参照信号について互いに異なる、ユーザ機器が提供される。
【００１６】
本開示のさらなる態様では、同じ時間および周波数リソースを有するリソースブロックの複数のレイヤの所定の無線リソース上に割り当てられた参照信号の複数のレイヤをスクランブルする方法であって、前記参照信号の前記複数のレイヤは、第１のセットと第２のセットにグループ分けされる方法であり、前記参照信号の各レイヤを、同じ長さを有する複数の直交カバー・コード（ＯＣＣ）のうちの１つによって選択的に乗算し、前記第１のセットに対して乗算されたＯＣＣは、前記第２のセットに対して乗算されたＯＣＣとは異なるように構成される、直交化工程と、前記参照信号の各レイヤに対して乗算されたＯＣＣから得られたシンボルのすべてを、シンボル共通スクランブリング系列によって乗算し、前記シンボル共通スクランブリング系列は、同一の前記ＯＣＣによって乗算された前記参照信号について互いに異なる、スクランブリング工程と、を含む方法が提供される。
【００１７】
本開示のさらなる態様では、同じ時間および周波数リソースを有するリソースブロックの複数のレイヤの所定の無線リソース上に割り当てられた参照信号の複数のレイヤをスクランブルする装置であって、前記参照信号の複数のレイヤは、第１のセットと第２のセットにグループ分けされる装置であり、前記参照信号の各レイヤを、同じ長さを有する複数の直交カバー・コード（ＯＣＣ）のうちの１つによって選択的に乗算し、前記第１のセットに対して乗算された前記ＯＣＣは、前記第２のセットに対して乗算された前記ＯＣＣとは異なるように構成される、直交化部と、前記参照信号の各レイヤに対して乗算された前記ＯＣＣから得られたシンボルのすべてを、シンボル共通スクランブリング系列によって乗算し、前記シンボル共通スクランブリング系列は、同一の前記ＯＣＣによって乗算された前記参照信号について互いに異なる、スクランブリング部と、を備える装置が提供される。
【００１８】
本開示のさらなる態様では、同じ時間および周波数リソースを有するリソースブロックの複数のレイヤの所定の無線リソース上に割り当てられた参照信号の複数のレイヤを、複数の送信ポイントから受信するユーザ機器であって、前記参照信号の複数のレイヤは、第１のセットと第２のセットにグループ分けされるユーザ機器であり、前記複数の送信ポイントから、前記リソースブロックの前記複数のレイヤを受信する送受信部と、時間領域および／または周波数領域における前記リソースブロックの複数のレイヤを検出して、前記参照信号の複数のレイヤを得る復調部と、を備え、前記参照信号の複数のレイヤは、前記複数の送信ポイント側において以下の処理を受けており、すなわち、前記参照信号の各レイヤは、同じ長さを有する複数の直交カバー・コード（ＯＣＣ）のうちの１つによって選択的に乗算され、前記参照信号のレイヤの前記第１のセットに対して乗算された前記ＯＣＣは、前記第２のセットに対して乗算された前記ＯＣＣとは異なるように設定され、前記参照信号の各レイヤに対して乗算された前記ＯＣＣから得られたシンボルのすべては、シンボル共通スクランブリング系列によって乗算され、前記シンボル共通スクランブリング系列は、同一の前記ＯＣＣによって乗算された前記参照信号について互いに異なる、ユーザ機器が提供される。
【００１９】
本開示では、ＩＭ−ＲＳに対するＯＣＣおよびスクランブリングの構成によって、複数のＬＰＮからのＩＭ−ＲＳは、マクロ・ノードからのＩＭ−ＲＳと完全に直交し、また互いに準直交するように保たれることが可能である。したがって、ＬＰＮからの干渉を検出するとき、マクロ・ノードからの干渉を完全に除去できるとともに、他のＬＰＮからの干渉を効果的に減少させることができる。
【００２０】
上記は概要であり、よって必要に応じて細部の単純化、一般化、および省略を含んでおり、したがって、この概要は例示にすぎず何ら限定を意図していないことは当業者には理解されよう。本明細書に説明される装置および／またはプロセスおよび／または他の主題の他の態様、特徴、および利点は、本明細書に示される教示において明らかとなろう。概要は、以下の発明を実施するための形態でさらに説明される概念の選択を単純化された形で導入するために示されている。この概要は、請求項に係わる主題の主要な特徴または本質的な特徴を特定するものではなく、請求項に係わる主題の範囲を決定する補助として使用されるものでもない。
【００２１】
本開示の上記および他の特徴は、添付の図面と併せてなされる以下の説明および添付の特許請求の範囲からより完全に明らかとなろう。これらの図面は本開示によるいくつかの実施形態のみを示すものであって、その範囲を限定するとみなされるべきではないという理解のもと、本開示は、添付の図面を使用して付加的な特性および細部とともに説明される。
【図面の簡単な説明】
【００２２】
【図１】複数の異なるＴＰからのＩＭ−ＲＳ構成の例の図
【図２】ヘテロジニアス配置の例の図
【図３】図２の場合のＩＭ−ＲＳスクランブリング構成の例の図
【図４】複数の異なるＴＰからのＩＭ−ＲＳに対するスクランブリング構成の例の図
【図５】本開示の第１の実施形態による、複数の異なるＴＰからのＩＭ−ＲＳに対するスクランブリング構成の例の図
【図６】本開示の第１の実施形態による、複数の異なるＴＰからのＩＭ−ＲＳに対するスクランブリング構成の別の例の図
【図７】本開示の第１の実施形態による例示的通信システムの図
【図８】本開示の第１の実施形態による送信ポイント装置のブロック図
【図９】本開示の第１の実施形態によるユーザ機器（ＵＥ）のブロック図
【図１０】本開示の第２の実施形態による、複数の異なるＴＰからのＩＭ−ＲＳに対するスクランブリング構成の例の図
【図１１】本開示の第２の実施形態による、複数の異なるＴＰからのＩＭ−ＲＳに対するスクランブリング構成の別の例の図
【図１２】本開示の第３の実施形態による、複数の異なるＴＰからのＩＭ−ＲＳに対するスクランブリング構成の例の図
【図１３】本開示の第５の実施形態による、参照信号をスクランブルする方法のフローチャートの図
【図１４】本開示の第６の実施形態による、参照信号をスクランブルする方法のフローチャートの図
【発明を実施するための形態】
【００２３】
以下の発明を実施するための形態では、その一部をなす添付の図面を参照する。図面において、文脈で特に指定がない限り、同様の記号は一般に同様の構成要素を示す。本開示の態様は、種々の異なる構成で配置、置換、組合せ、および設計が可能であり、それらのすべては明確に企図され本開示の一部を構成することが容易に理解されるであろう。
【００２４】
図２および図３を参照した詳細な分析に基づき、式（１）では、ＬＰＮ２およびＬＰＮ３がＯＣＣの直交性により互いに完全に直交するため、ＬＰＮ３からの干渉が完全に除去されることに注意が必要である。また、図３の構成では、マクロ・ノードとＬＰＮ１がＯＣＣによって直交している。これは、ＬＰＮ１からの干渉を検出するとき、マクロ・ノード及びＬＰＮ１の間の完全な直交性のため、マクロ干渉の剰余電力が確実によく除去されうることを意味する。詳細には、ＬＰＮ１からの測定された干渉は、次式（２）によって計算される。
【数５】
0006002243.tif 000006
【００２５】
式中、ＰＬＰＮ１は、ＵＥがＬＰＮ１から受け取る電力を示し、記号「＊」は、共役を示す。式（２）において、
【数６】
0006002243.tif 000007
はゼロであるが、
【数７】
0006002243.tif 000008
および
【数８】
0006002243.tif 000009
はゼロではない。それゆえ、マクロ・ノードからの干渉はうまく取り除かれる。したがって、マクロ・ノードとＬＰＮがＣＤＭ（符号分割多重化）される場合、デスクランブリング後にマクロ干渉に関して心配する必要がない。
【００２６】
したがって、ＬＰＮポートのすべてがマクロ・ポートと直交する場合、ＬＰＮ干渉は高い精度で検出可能となる。しかし、Ｒｅｌ−１０などにおける現行のＣＳＩ−ＲＳのＯＣＣおよびスクランブリング設計は、１つのＬＰＮポートのみがマクロ・ポートと直交することを可能にする。例えば、図２では、ＬＰＮ１ポートのみがマクロ・ポートと直交する。現行のスクランブリングの特徴は、ＯＣＣについて共通であるが、ＯＦＤＭ（Orthogonal Frequency Division Multiplexing）シンボルに対して固有であることである。したがって、現行のスクランブリング系列は、シンボル固有スクランブリング系列と呼ばれることがある。例えば、図３では、マクロ・ノードおよびＬＰＮ１を例に取ると、それらは異なるＯＣＣ［１，１］、［１，−１］がそれぞれ割り当てられるが、それらは同じシンボル固有スクランブリング系列Ｓ１、Ｓ２によって乗算されている。そのとき、マクロ・ノードおよびＬＰＮ１のそれぞれについて、異なるＯＦＤＭシンボルが異なるシンボル固有スクランブリング系列によって乗算される。すなわち、ＯＣＣの第１のシンボルは、シンボル固有スクランブリング系列Ｓ１によって乗算され、ＯＣＣの第２のシンボルは、Ｓ１と独立したシンボル固有スクランブリング系列Ｓ２によって乗算される。
【００２７】
複数のＬＰＮポートがマクロ・ポートに対して直交することを可能にする解決策は、図４に示すようなスクランブリング構成を使用することである。図４は、複数の異なるＴＰからのＩＭ−ＲＳに対するスクランブリング構成の例を示す。単純にするために、２つのＬＰＮ、すなわちＬＰＮ１およびＬＰＮ２のみを図４に示す。図３と比べて、マクロ・ノードおよびＬＰＮ１に対する構成は変更されない。つまり、マクロ・ポートとＬＰＮ１ポートは互いに完全に直交する。図３とは異なり、図４のＬＰＮ２ポートは、ＬＰＮ１ポートと同じように構成されている。したがって、ＬＰＮ２ポートもマクロ・ポートと完全に直交する。
【００２８】
しかし、図４における構成は、ＯＣＣおよびスクランブリング構成が同じであるため、ＬＰＮポート間の深刻な干渉を引き起こす。したがって、すべてのＬＰＮポートとマクロ・ポートの間の直交性を保ちながらＬＰＮポート間の干渉をどのように減らすかを考える必要がある。
【００２９】
（第１の実施形態）
ＬＰＮポート間の干渉を減らすために、図４におけるＩＭ−ＲＳに対するスクランブリング構成に基づいて各ＬＰＮポートに対して追加のスクランブリング系列の適用を検討する。この追加のスクランブリング系列は、干渉を減らすために、異なるＬＰＮに対して異なるものとすることができる。さらに、追加のスクランブリング系列は、マクロ・ポートとの直交性を維持するためにＯＣＣの２つのシンボルに共通である必要がある。そのため、追加のスクランブリング系列は、以下ではシンボル共通スクランブリング系列と呼ばれる。図５は、本開示の第１の実施形態による、異なるＴＰからのＩＭ−ＲＳに対するスクランブリング構成の例を示す。図４と比べて、マクロ・ノードに対するＯＣＣおよびスクランブリングは変更されていない。つまり、マクロ・ノードに対して単一スクランブリングが行われる。一方、ＬＰＮに関しては、図４におけるＯＣＣおよびスクランブリング構成に基づいて、さらに、ＬＰＮのそれぞれについてシンボル共通スクランブリング系列が適用される。つまり、各ＬＰＮに対して二重でスクランブリングが行われる。詳細には、図５に示すように、シンボル共通スクランブリング系列Ｑ１は、ＬＰＮ１に対するＯＣＣの２つのシンボルに対して乗算され、別のシンボル共通スクランブリング系列Ｑ２は、ＬＰＮ２に対するＯＣＣの２つのシンボルに対して乗算される。
【００３０】
要約すると、ＩＭ−ＲＳ構成は以下のステップを含む。
【００３１】
最初に、ＬＰＮのすべてに、マクロ・ノードへ割り当てられたＯＣＣとは異なる同じ長さ２のＯＣＣが割り当てられて、マクロ・ノードとＬＰＮのすべてが完全に直交するようにされる。次に、マクロ・ノードおよびＬＰＮのそれぞれについて、ＯＣＣの第１および第２のシンボルがそれぞれ、異なるシンボル固有スクランブリング系列によって乗算される。その異なるシンボル固有スクランブリング系列はマクロ・ノードおよびＬＰＮのすべてに対して共通でもよい。最後に、ＬＰＮのそれぞれについて、シンボル共通スクランブリング系列が、ＯＣＣの第１および第２のシンボルの両方に対して乗算される。このシンボル共通スクランブリング系列はＬＰＮごとに異なってもよい。
【００３２】
図６は、本開示の第１の実施形態による、複数の異なるＴＰからのＩＭ−ＲＳに対するスクランブリング構成の別の例を示す。図６は、図５における概念を、図２に示すような例示的なヘテロジニアスネットワークに適用したものである。つまり、単一スクランブリングがマクロ・ノードに適用され、二重のスクランブリングがＬＰＮ１、ＬＰＮ２、およびＬＰＮ３に適用される。詳細には、マクロ・ノードにはＯＣＣ［１，１］が割り当てられ、ＬＰＮ１、ＬＰＮ２、およびＬＰＮ３には同じＯＣＣ［１，−１］が割り当てられる。マクロ・ノードおよび３つのＬＰＮのそれぞれについて、２つの異なるシンボル固有スクランブリング系列Ｓ１、Ｓ２がそれぞれ、ＯＣＣの第１のシンボルおよび第２のシンボルに乗算される。３つのＬＰＮのそれぞれについてＯＣＣの第１と第２の両方のシンボルが、シンボル共通スクランブリング系列によって乗算される。シンボル共通スクランブリング系列は、ＬＰＮ１、ＬＰＮ２、またはＬＰＮ３に対してそれぞれＱ３、Ｑ４、またはＱ５である。図６におけるＩＭ−ＲＳ構成に基づいて、マクロ・ノードおよび３つのＬＰＮのそれぞれからの測定された干渉を、以下の式によって計算することができる。
【数９】
0006002243.tif 000010
【数１０】
0006002243.tif 000011
【数１１】
0006002243.tif 000012
【数１２】
0006002243.tif 000013
【００３３】
上記の式（３）〜（６）より、ＬＰＮポートのすべてがマクロ・ポートに完全に直交しているため、マクロ・ノードからの干渉は、式（３）〜（５）においてうまく取り除くことができる。他のＬＰＮからの干渉は式（３）〜（５）において残存しているが、３つのＬＰＮはシンボル共通スクランブリング系列によって互いに準直交するため、他のＬＰＮからの干渉は比較的小さく、ＬＰＮ干渉推定に大きく影響しない。さらに、マクロ・ノードからの干渉の推定に関しては、ＬＰＮからの干渉は、式（６）で示すようにすべて完全に取り除かれる。
【００３４】
図７は、本開示の第１の実施形態による例示的な通信システム７０を示す。図７に示すように、通信システム７０は、ＴＰ８００のような複数のＴＰ、およびＵＥ９００を備える。通信システム７０において、ＵＥ９００は、ＴＰ８００のような複数のＴＰと通信することができる。複数のＴＰは、マクロ・ノードおよび複数のＬＰＮを含む。ＴＰ８００は、マクロ・ノードまたはＬＰＮである。ＵＥ９００でのＣＱＩ計算のために、すべてのＴＰが、前述のように構成されたＩＭ−ＲＳをＵＥ９００に送信する。ＴＰ８００およびＵＥ９００の詳細な構成を図８および９を参照して以下に説明する。
【００３５】
図８は、本開示の第１の実施形態による装置８０００を示すブロック図である。
【００３６】
本開示の第１の実施形態による装置８０００は、通信システムにおけるＵＥ９００などの少なくとも１つのＵＥ（ユーザ機器）と通信するように送信ポイント８００において構成されうる。装置８０００は、同じ時間および周波数リソースを有するリソースブロックの複数のレイヤの所定の場所（無線リソース、すなわち、サブキャリア、サブフレームなどのような時間および／または周波数リソース）に割り当てられたＲＳ信号の複数のレイヤをスクランブルできる。図８に示すように、装置８０００は、ＲＳ信号の各レイヤを、第１および第２の長さ２の直交カバー・コード（ＯＣＣ）のうちの１つによって選択的に乗算する直交化部８０１０であって、第１のＯＣＣは、マクロ・ノードから送信されたＲＳ信号のレイヤに対して乗算され、第２のＯＣＣは、ＬＰＮから送信されたＲＳ信号のレイヤに対して乗算される、直交化部８０１０と、ＲＳ信号の各レイヤに乗算されたＯＣＣの２つシンボルを、すべての送信ポイントからのＲＳ信号のすべてのレイヤに共通する異なるシンボル固有系列によってそれぞれ乗算し、ＬＰＮから送信されたＲＳ信号のレイヤのそれぞれに乗算されたＯＣＣの２つのシンボルを、ＬＰＮごとに異なるシンボル共通スクランブリング系列によって乗算するスクランブリング部８０２０と、スクランブリング部８０２０から得られたリソースブロックの複数のレイヤを、少なくとも１つのＵＥに送信する送受信部８０３０とを備える。ここで、ＲＳ信号はＩＭ−ＲＳ信号とすることができることに注意が必要である。
【００３７】
本開示による送信ポイント装置８０００はさらに、関連するプログラムを実行して、様々なデータを処理し送信ポイント装置８０００内の各構成部の動作を制御するためのＣＰＵ（中央処理装置）８１００、ＣＰＵ８１００による様々なプロセスおよび制御を行うために必要な様々なプログラムを格納するためのＲＯＭ（Read Only Memory）８１３０、ＣＰＵ８１００によるプロセスおよび制御の手続きで一時的に生成された中間データを格納するためのＲＡＭ（Random Access Memory）８１５０、及び、様々なプログラムおよびデータなどを格納するためのストレージ・ユニット８１７０などを備えることができる。上記の直交化部８０１０、スクランブリング部８０２０、送受信部８０３０、ＣＰＵ８１００、ＲＯＭ８１３０、ＲＡＭ８１５０、および／またはストレージ・ユニット８１７０などは、データ／コマンド・バス８２００を介して相互接続され、互いの間で信号を転送することができる。
【００３８】
上記のような各構成部は、本開示の範囲を限定しない。本開示の一実施形態によれば、上記の直交化部８０１０、スクランブリング部８０２０、および送受信部８０３０の任意の機能は、上記のＣＰＵ８１００、ＲＯＭ８１３０、ＲＡＭ８１５０、および／またはストレージ・ユニット８１７０などと組み合わせた機能的ソフトウェアによって実装することもできる。
【００３９】
装置８０００の直交化部８０１０およびスクランブリング部８０２０によって、マクロ・ノードおよび複数のＬＰＮからのＩＭ−ＲＳ信号の複数のレイヤは図５および６に示すように構成されうる。すなわち、マクロ・ノードに対し単一スクランブリングを、ＬＰＮのそれぞれに対し二重スクランブリングを適用することによって、複数のＬＰＮからのＩＭ−ＲＳは、マクロ・ノードからのＩＭ−ＲＳと完全に直交し、また互いに準直交するように保たれる。したがって、ＬＰＮからの干渉を検出するとき、マクロ・ノードからの干渉を完全に除去されるとともに、他のＬＰＮからの干渉を効果的に減少させることができる。
【００４０】
装置８０００は、ＴＰにおいて構成する代わりに、複数のＴＰから送信された複数のＲＳ信号をスクランブルするための中央ノードとして機能する別のノードにおいて構成することもできることに注意が必要である。また、装置８０００は、ＴＰにおいて構成される場合、送受信部８０３０を備えずに、代わりに、ＴＰにおける送受信装置によってリソースブロックの複数のレイヤを送信してもよい。さらに、ＲＳ信号のレイヤのすべてに対するシンボル固有スクランブリング、およびＬＰＮから送信されたＲＳ信号のレイヤに対するシンボル共通スクランブリングは、１つのスクランブリング部８０２０の代わりに、２つの別個のスクランブリング部によってそれぞれ実行してもよい。
【００４１】
図９は、本開示の第１の実施形態によるユーザ機器（ＵＥ）９００を示すブロック図である。
【００４２】
本開示の第１の実施形態によるＵＥ９００は、通信システムにおいてマクロ・ノードおよび複数のＬＰＮを含む複数の送信ポイントと通信するために使用される。ＵＥ９００は、同じ時間および周波数リソースを有するリソースブロックの複数のレイヤの所定の場所（無線リソース、すなわち、サブキャリア、サブフレームなどのような時間および／または周波数リソース）に割り当てられたＲＳ信号の複数のレイヤを、送信ポイントから受け取る。図９に示すように、ＵＥ９００は、リソースブロックの複数のレイヤを受け取る送受信部９０１と、時間領域および／または周波数領域におけるリソースブロックの複数のレイヤを検出して、ＲＳ信号の複数のレイヤを得る復調部９０２とを備え、各送信ポイントから送信されたＲＳ信号の各レイヤは、第１および第２の長さ２の直交カバー・コード（ＯＣＣ）のうちの１つによって乗算され、第１のＯＣＣは、マクロ・ノードからのＲＳ信号のレイヤに対して乗算され、第２のＯＣＣは、複数のＬＰＮからのＲＳ信号のレイヤに対して乗算され、各送信ポイントから送信されたＲＳ信号の各レイヤに乗算されたＯＣＣの２つシンボルは、すべての送信ポイント装置からのＲＳ信号のすべてのレイヤに共通する異なるシンボル固有系列によってそれぞれ乗算され、各ＬＰＮから送信されたＲＳ信号のレイヤに乗算されたＯＣＣの２つのシンボルは、ＬＰＮごとに異なるシンボル共通スクランブリング系列によって乗算される。ここで、ＲＳ信号はＩＭ−ＲＳ信号とすることができることに注意が必要である。
【００４３】
図５および６を参照して先に説明したように、ＵＥ９００によってマクロ・ノードおよび複数のＬＰＮから受け取られたＩＭ−ＲＳ信号のレイヤは、図５および６に示したように構成することができる。すなわち、マクロ・ノードに対し単一スクランブリングを、ＬＰＮのそれぞれに対し二重スクランブリングを適用することによって、複数のＬＰＮからのＩＭ−ＲＳが、マクロ・ノードからのＩＭ−ＲＳと完全に直交し、また互いに準直交するように保たれる。したがって、ＵＥ９００においてＬＰＮからの干渉を検出するとき、マクロ・ノードからの干渉を完全に除去されるとともに、他のＬＰＮからの干渉を効果的に減少させることができる。
【００４４】
本開示によるＵＥ９００はさらに、関連するプログラムを実行して、様々なデータを処理しＵＥ９００内の各ユニットの動作を制御するためのＣＰＵ（中央処理装置）９１０、ＣＰＵ９１０による様々なプロセスおよび制御を行うために必要な様々なプログラムを格納するためのＲＯＭ（Read Only Memory）９１３、ＣＰＵ９１０によるプロセスおよび制御の手続きで一時的に生成された中間データを格納するためのＲＡＭ（Random Access memory）９１５、および、様々なプログラムおよびデータなどを格納するためのストレージ・ユニット９１７等を備えることができる。上記の送受信部９０１、復調部９０２、ＣＰＵ９１０、ＲＯＭ９１３、ＲＡＭ９１５、および／またはストレージ・ユニット９１７などは、データ／コマンド・バス９２０を介して相互接続され、互いの間で信号を転送することができる。
【００４５】
上記のような各ユニットは、本開示の範囲を限定しない。本開示の一実施形態によれば、上記の送受信部９０１および復調部９０２の任意の機能は、上記のＣＰＵ９１０、ＲＯＭ９１３、ＲＡＭ９１５、および／またはストレージ・ユニット９１７などと組み合わせた機能的ソフトウェアによって実装することもできる。
【００４６】
本実施形態によれば、マクロ・ノードに対し単一スクランブリングを適用し、ＬＰＮのそれぞれに対し二重スクランブリングを適用することによって、複数のＬＰＮからのＩＭ−ＲＳは、マクロ・ノードからのＩＭ−ＲＳと完全に直交し、また互いに準直交するように保たれることが可能である。したがって、ＬＰＮからの干渉を検出するとき、マクロ・ノードからの干渉を完全に除去されるとともに、他のＬＰＮからの干渉を効果的に減少させることができる。
【００４７】
（第２の実施形態）
上記のような第１の実施形態の方法では、単一スクランブリングがマクロ・ノードに対し適用され、二重スクランブリングがＬＰＮのそれぞれに対し適用されるため、ＵＥは、正確なデスクランブリングのために、マクロ・ノードおよびＬＰＮを識別する必要がある。一般に、ＵＥは、どのＴＰがマクロ・ノードで、どのＴＰがＬＰＮであるかを把握していない。したがって、マクロ・ノードとＬＰＮに対して同じスクランブリング・フォーマットを採用することが好ましい。本実施形態では、どの送信ポイントがマクロ・ノードであるかをＵＥに通知することを回避するために、ＬＰＮとマクロ・ノードの両方に対し二重スクランブリングを適用することが提案される。
【００４８】
図１０は、本開示の第２の実施形態による、複数の異なるＴＰからのＩＭ−ＲＳに対するスクランブリング構成の例を示す。図１０に示すように、２つＩＭ−ＲＳのセット、すなわちＩＭ−ＲＳセット１およびＩＭ−ＲＳセット２が構成される。セット１の各ＩＭ−ＲＳには長さ２のＯＣＣ［１，１］が割り当てられ、セット２の各ＩＭ−ＲＳにはＯＣＣ［１，−１］が割り当てられる。したがって、上記のＯＣＣ構成によって、セット１のＩＭ−ＲＳポートはセット２のＩＭ−ＲＳポートと完全に直交する。さらに、セット１またはセット２の各ＩＭ−ＲＳについて、ＯＣＣの２つのシンボルが、２つの異なるシンボル固有スクランブリング系列によってそれぞれ乗算される。２つの異なるシンボル固有スクランブリング系列は、セット１およびセット２内のすべてのＩＭ−ＲＳに対して共通する。また、セット１またはセット２において、各ＩＭ−ＲＳに対するＯＣＣの２つのシンボルは、ＩＭ−ＲＳごとに異なるシンボル共通スクランブリング系列によってさらに乗算される。このような追加構成によって、セット１とセット２の両方におけるＩＭ−ＲＳポートに二重スクランブリングが適用されることによって、セット１におけるＩＭ−ＲＳポートが互いに準直交するとともに、セット２におけるＩＭ−ＲＳポートが互いに準直交する。
【００４９】
マクロ・ノードおよびＬＰＮに対するＩＭ−ＲＳ構成に関して、マクロ・ノードからのＩＭ−ＲＳおよび複数のＬＰＮからのＩＭ−ＲＳが、異なるセットからそれぞれ構成される限り、すなわち、マクロ・ノードからのＩＭ−ＲＳのＯＣＣおよびスクランブリング構成がＩＭ−ＲＳセット１から選択され、複数のＬＰＮからのＩＭ−ＲＳのＯＣＣおよびスクランブリング構成がＩＭ−ＲＳセット２から選択される場合（逆もまた同様である）、複数のＬＰＮからのＩＭ−ＲＳは、マクロ・ノードからのＩＭ−ＲＳと完全に直交し、また互いに準直交するように保つことが可能である。
【００５０】
図１０では、セット１内のＩＭ−ＲＳは、シンボル共通スクランブリング系列Ｑ１、Ｑ２、およびＱ３によってそれぞれ乗算される。それらのシンボル共通スクランブリング系列は、セット２内のＩＭ−ＲＳに対してそれぞれ乗算されるシンボル共通スクランブリング系列Ｑ４、Ｑ５、およびＱ６とは異なることに注意が必要である。ただし、本開示はこれに限定されない。図１１は、本開示の第２の実施形態による、複数の異なるＴＰからのＩＭ−ＲＳに対するスクランブリング構成の別の例を示す。
【００５１】
図１１では、セット１およびセット２に対するＯＣＣおよびシンボル固有スクランブリング系列の構成は、図１０の構成と同じである。図１０とは異なり、セット１内のＩＭ−ＲＳは、セット２内のＩＭ−ＲＳに対してもそれぞれ乗算されるシンボル共通スクランブリング系列Ｑ１、Ｑ２、およびＱ３によってそれぞれ乗算される。それぞれのセット内、または同じＯＣＣが割り当てられたＩＭ−ＲＳポート間の準直交性は、同じＯＣＣが割り当てられたＩＭ−ＲＳポートが、異なるシンボル共通スクランブリング系列によって乗算される限り得られる。したがって、シンボル共通スクランブリング系列は、異なるセット間、すなわちＯＣＣ間で再利用することができる。
【００５２】
本実施形態によれば、装置８０００におけるスクランブリング部８０２０は、マクロ・ノードから送信されたＲＳ信号のレイヤに対して乗算されたＯＣＣの２つのシンボルを、ＬＰＮから送信されたＲＳ信号の他のレイヤに対して乗算されたシンボル共通スクランブリング系列のうちの１つと同じまたはすべてと異なることが可能なシンボル共通スクランブリング系列によって、さらに乗算することができる。あるいは、装置８０００は、そのようなスクランブリング機能を実装するために別のスクランブリング部を備えてもよい。
【００５３】
本実施形態によれば、第１の実施形態により得られる効果に加え、マクロ・ノードとＬＰＮの両方に二重スクランブリングを適用することによって、どの送信ポイントがマクロ・ノードであるかをＵＥに通知する必要がなくなる。
【００５４】
（第３の実施形態）
上記の２つの実施形態は共に長さ２のＯＣＣに関するものである。しかし、本開示はこれに限定されず、長さ４のＯＣＣなどに拡張することができる。本実施形態は、一例として、長さ４のＯＣＣに対し二重スクランブリングを適用するものである。４ポートＣＳＩ−ＲＳは、２つの隣接したＯＦＤＭシンボル、および、リソースブロック上で６サブキャリア離れた２つのサブキャリアにおいて採用されることに注意が必要である。
【００５５】
図１２は、本開示の第３の実施形態による、複数の異なるＴＰからのＩＭ−ＲＳに対するスクランブリング構成の例を示す。図１２は、上記実施形態における概念を長さ４のＯＣＣの場合に拡張するものである。詳細には、図１２に示すように、マクロ・ノードからのＩＭ−ＲＳには長さ４のＯＣＣ［１，１，１，１］が割り当てられ、ＬＰＮ１およびＬＰＮ４からのＩＭ−ＲＳには長さ４のＯＣＣ［１，−１，１，−１］が割り当てられ、ＬＰＮ２およびＬＰＮ５からのＩＭ−ＲＳには長さ４のＯＣＣ［１，１，−１，−１］が割り当てられ、ＬＰＮ３およびＬＰＮ６からのＩＭ−ＲＳには長さ４のＯＣＣ［１，−１，−１，１］が割り当てられる。したがって、ＬＰＮからの各ＩＭ−ＲＳにはマクロ・ノードからのものとは異なる長さ４のＯＣＣが割り当てられるため、ＬＰＮからのＩＭ−ＲＳはマクロ・ノードからのＩＭ−ＲＳと完全に直交に保たれる。さらに、マクロ・ノードおよび６つのＬＰＮのそれぞれについて、割り当てられた長さ４のＯＣＣの４つのシンボルは、４つの異なるシンボル固有スクランブリング系列によってそれぞれ乗算される。その４つの異なるシンボル固有スクランブリング系列は、マクロ・ノードおよびＬＰＮからのすべてのＩＭ−ＲＳに対して共通とすることができる。次いで、マクロ・ノードおよび６つのＬＰＮのそれぞれについて、割り当てられた長さ４のＯＣＣの４つのシンボルはシンボル共通スクランブリング系列によってさらに乗算される。つまり、シンボル共通スクランブリングは、２つのＯＦＤＭシンボルおよびリソースブロック上で６キャリア離れた２つのサブキャリアについて共通とする。シンボル共通系列は、異なるＯＣＣの間で共通としてもよいが、同じＯＣＣを割り当てられたＬＰＮの間で異なる構成を可能とすべきである。
【００５６】
詳細には、図１２に示すように、マクロ・ノードおよびＬＰＮ１からＬＰＮ３は、それらには異なるＯＣＣが割り当てられるので、同じシンボル共通系列Ｑ１によって乗算される。ＬＰＮ４は、ＬＰＮ１に乗算されるシンボル共通系列Ｑ１とは異なるシンボル共通スクランブリング系列Ｑ２によって乗算される。その理由は、それらに同じＯＣＣ［１，−１，１，−１］が割り当てられるからである。また、ＬＰＮ５は、ＬＰＮ２に乗算されるシンボル共通系列Ｑ１とは異なるシンボル共通スクランブリング系列Ｑ２によって乗算される。その理由は、それらに同じＯＣＣ［１，１，−１，−１］が割り当てられるからである。同じことが、ＬＰＮ３およびＬＰＮ６について当てはまる。同様に、ＬＰＮ４からＬＰＮ６は、それらには異なるＯＣＣが割り当てられるので、同じシンボル共通系列Ｑ２によって乗算される。図１２に示す構成は例示にすぎず、本開示はこれに限定されないことに留意されたい。ＬＰＮ１からＬＰＮ３をシンボル共通系列Ｑ２にて乗算し、ＬＰＮ４からＬＰＮ６をシンボル共通系列Ｑ１にて乗算してもよいことは明らかである。
【００５７】
この状況では、マクロ・ノードおよび６つのＬＰＮに対して長さ４のＯＣＣを使用することによって、マクロ・ノードからの干渉だけでなく、いくつかのＬＰＮからの干渉も完全に除去される。ＬＰＮ１を例に取ると、ＬＰＮ１とＬＰＮ４には同じＯＣＣが割り当てられるので、ＬＰＮ１はＬＰＮ４のみによって干渉を受ける。異なるシンボル共通系列の適用によって、ＬＰＮ４からの干渉を減らすことができる。他方で、ＬＰＮ１はマクロ・ノードだけでなくＬＰＮ２、ＬＰＮ３、ＬＰＮ５、およびＬＰＮ６とも完全に直交するため、マクロ・ノードと４つのＬＰＮとの両方からの干渉が確実によく取り除かれる。
【００５８】
長さ４のＯＣＣは単に例であって、ＯＣＣの長さは２または４に限定されないことに注意が必要である。本開示は、さらに長いＯＣＣに拡張することができる。
【００５９】
本実施形態によれば、マクロ・ノードとＬＰＮの両方に対し長さ４のＯＣＣおよび二重スクランブリングを使用することによって、他のＬＰＮからの干渉がさらに除去される。
【００６０】
（第４の実施形態）
上述の実施形態では、まず、シンボル固有スクランブリング系列がマクロ・ノードおよびＬＰＮのすべてに対し使用され、次いで、シンボル共通スクランブリング系列がＬＰＮのみまたはマクロ・ノードおよびＬＰＮのすべてに対しさらに使用される。しかし、本開示はこれに限定されない。シンボル固有スクランブリング系列とシンボル共通スクランブリング系列の適用の順序は、固定されず逆にしてもよい。すなわち、シンボル共通スクランブリング系列をシンボル固有スクランブリング系列の前に適用してもよい。
【００６１】
さらに、シンボル固有スクランブリング系列を適用することなくシンボル共通スクランブリング系列のみを使用することも可能である。ＯＣＣおよびシンボル固有スクランブリング系列のみの構成によって、本開示は、上述の実施形態と同じ効果を達成することができる。詳細には、マクロ・ノードとＬＰＮの間の完全な直交性はＯＣＣ構成により実現することができ、ＬＰＮ間の準直交性はシンボル固有スクランブリングにより実現することができる。
【００６２】
本実施形態によれば、直交化部８０１０は、参照信号の各レイヤを、同じ長さを有する複数のＯＣＣのうちの１つによって選択的に乗算することができる。例えば第１の送信ポイントから送信された参照信号の第１のレイヤに対して乗算されたＯＣＣは、例えば他の送信ポイントから送信された参照信号の他のレイヤに対して乗算されたＯＣＣとは異なるように構成することができる。スクランブリング部８０２０は、参照信号の他のレイヤのそれぞれに対して乗算されたＯＣＣから得られたシンボルのすべてを、シンボル共通スクランブリング系列によって乗算することができる。シンボル共通スクランブリング系列は、同じＯＣＣによって乗算された参照信号について互いに異ならせることができる。
【００６３】
さらに、本開示は１つのマクロ・ノードを例として挙げて説明しているが、マクロ・ノードの数は１つに限定されず、通信システムにおいていくつかのマクロ・ノードが存在してもよい。本開示は、複数のマクロ・ノードおよび複数のＬＰＮが存在する場合にも適用可能である。例えば、ＯＣＣ構成によって、マクロ・ノードとＬＰＮの間の完全な直交性を達成し、シンボル共通スクランブリングによって、マクロ・ノード間およびＬＰＮ間の準直交性をそれぞれ得ることだけが必要とされる。
【００６４】
本実施形態によれば、直交化部８０１０が、２つのセットにグループ分けされた参照信号の各レイヤを、同じ長さを有する複数のＯＣＣのうちの１つによって選択的に乗算することができる。２つのセットにおいて、第１のセットは、例えば第１のグループの送信ポイントから送信され、第２のセットは、例えば第２のグループの送信ポイントから送信される。第１のセットに乗算されたＯＣＣは、第２のセットに乗算されたＯＣＣとは異なるように構成することができる。スクランブリング部８０２０は、参照信号の各レイヤに対して乗算されたＯＣＣから得られたシンボルのすべてを、シンボル共通スクランブリング系列によって乗算することができる。シンボル共通スクランブリング系列は、同じＯＣＣによって乗算された参照信号について互いに異ならせることができる。
【００６５】
以下は、３ＧＰＰ仕様書ＴＳ３６．２１１において本開示の着想を実現するためのものである。次のように現行の仕様書に対しいくつかの変更をすることが提案される。例として、本実施形態の以下の定義は、ＵＥに「マクロ・ノード」および「ＬＰＮ」を指示するシグナリングを必要とせず、また長さ２のＯＣＣが想定される、第２の実施形態の場合に対応する。
【００６６】
シンボル固有スクランブリング系列
【数１３】
0006002243.tif 000014
は、
【数１４】
0006002243.tif 000015
によって定義される。式中、ｎｓは、無線フレーム内のスロット番号であり、ｌは、スロット内のＯＦＤＭシンボル番号である。擬似ランダム系列ｃ（ｉ）は、３ＧＰＰ  ＴＳ  ３６．２１１  Ｖ１０．４．０の７．２節で定義されている。擬似ランダム系列生成器は、各ＯＦＤＭシンボルの開始の際に
【数１５】
0006002243.tif 000016
によって初期化される。式中、
【数１６】
0006002243.tif 000017
はＣＳＩ−ＲＳ  ＩＤを示し、
【数１７】
0006002243.tif 000018
である。
【００６７】
シンボル共通スクランブリング系列
【数１８】
0006002243.tif 000019
は、
【数１９】
0006002243.tif 000020
によって定義される。式中、ｎｓは、無線フレーム内のスロット番号であり、ｌは、スロット内のＯＦＤＭシンボル番号である。擬似ランダム系列ｃ（ｉ）は、３ＧＰＰ  ＴＳ  ３６．２１１  Ｖ１０．４．０の７．２節で定義されている。擬似ランダム系列生成器は、各ＯＦＤＭシンボルの開始の際に
【数２０】
0006002243.tif 000021
によって初期化される。式中、
【数２１】
0006002243.tif 000022
はＩＭ−ＲＳ  ＩＤを示し、
【００６８】
【数２２】
0006002243.tif 000023
である。
【００６９】
例えば３ＧＰＰ  ＴＳ  ３６．２１１  Ｖ１０．４．０の６．１０．５節におけるＣＳＩ参照信号系列の定義と比較すると、本開示におけるシンボル固有スクランブリング系列
【数２３】
0006002243.tif 000024
は、３ＧＰＰ  ＴＳ  ３６．２１１で定義されるＣＳＩ参照信号系列と同じである。ランダム・シード生成式（８）は、パラメータ
【数２４】
0006002243.tif 000025
が
【数２５】
0006002243.tif 000026
に置き換えられることだけを除いて、３ＧＰＰ  ＴＳ  ３６．２１１で定義される式と同じである。３ＧＰＰ  ＴＳ  ３６．２１１では、ＣＳＩ参照信号系列のためのランダム・シードはセルＩＤに基づいている。本開示では、
【数２６】
0006002243.tif 000027
はセルＩＤに限定されず、上位レイヤによってシグナリングされうる他のＩＤとしてもよい。例えば、図１０および図１１に戻ると、２つの異なるシンボル固有スクランブリング系列Ｓ１およびＳ２は、前述の式（７）および（８）から生成され、異なる
【数２７】
0006002243.tif 000028
に基づいている。
【００７０】
生成式およびランダム・シード生成式の観点では、本開示で定義されるシンボル共通スクランブリング系列
【数２８】
0006002243.tif 000029
は、シンボル固有スクランブリング系列
【数２９】
0006002243.tif 000030
と似ており、両者の違いは、それらが異なるＩＤに基づくこと、すなわち、前者が
【数３０】
0006002243.tif 000031
に基づき、後者が
【数３１】
0006002243.tif 000032
に基づくことである。図１０および図１１を例に取ると、異なるシンボル共通スクランブリング系列Ｑ１〜Ｑ６は、前述の式（９）および式（１０）にて生成し、上位レイヤのシグナリングしうる異なる
【数３２】
0006002243.tif 000033
に基づいている。
【００７１】
上述の定義は、ＣｏＭＰシナリオ３および４の両方に適用可能である。詳細には、シナリオ３では、シンボル共通スクランブリング系列のためのランダム・シードは、セルＩＤに基づくことができる。一方、シナリオ４では、シンボル共通スクランブリング系列のためのランダム・シードは、上位レイヤによってシグナリングされるＣＳＩ−ＲＳ  ＩＤまたはＩＭ−ＲＳ  ＩＤに基づくことができる。ＣＳＩ−ＲＳ  ＩＤもＣＳＩ−ＲＳスクランブリングにおいて使用しうることに注意が必要である。
【００７２】
そのような場合、ＤＬ（ダウンリンク）シグナリングに関して、３つのスクランブリング・ランダム・シードおよび関連するＯＣＣが、ＩＭ−ＲＳポートごとにシグナリングされるまたは指定されることになる。詳細には、２つの異なるランダム・シードが、異なるＯＦＤＭシンボルに対する２つのシンボル固有スクランブリング系列に対するものであり、もう１つのランダム・シードが、ＯＦＤＭシンボルにわたって共通するシンボル共通スクランブリング系列に対するものであり、１ビットはＯＣＣに対するものである。
【００７３】
本実施形態によれば、ＩＭ−ＲＳ送信のために構成されたサブフレームにおいて、シンボル固有スクランブリング系列
【数３３】
0006002243.tif 000034
およびシンボル共通スクランブリング系列
【数３４】
0006002243.tif 000035
は、
【数３５】
0006002243.tif 000036
に従って、アンテナ・ポートｐ上の参照シンボルとして使用される複素値変調シンボル
【数３６】
0006002243.tif 000037
にマップされる。式中、
【数３７】
0006002243.tif 000038
であり、数量（ｋ’，ｌ’）およびｎＳに対する必要条件は、ノーマル・サイクリック・プレフィックスおよび拡張サイクリック・プレフィックスについてそれぞれ３ＧＰＰ  ＴＳ  ３６．２１１  Ｖ１０．４．０における表６．１０．５．２−１および表６．１０．５．２−２によって与えられる。
【００７４】
式（１１）の３ＧＰＰ  ＴＳ  ３６．２１１における式との違いは、
【数３８】
0006002243.tif 000039
によってさらに乗算されることである。ここで、添字ｌ’はシンボル共通スクランブリング系列を有するものである。パラメータｋ、ｌ、ｌ''、ｍ、およびｍ’の定義は、３ＧＰＰ  ＴＳ  ３６．２１１における定義と同じであるが、パラメータｗｉ''については異なる。本実施形態では、パラメータｗｉ''は、
【数３９】
0006002243.tif 000040
にＯＣＣが基づくことを示す。しかし、それは１つの可能な設計にすぎず、ＯＣＣは上位レイヤによって設定されてもよい。さらに、パラメータｋに関して、例えば、１５、１６、１７、１８、１９、２０、２１、２２のようなアンテナ・ポートｐの指定は、通信システムの必要に応じて新しいポートが定義される必要がある場合に変更することができる。
【００７５】
Ｒｅｌ−１０において定義されるＣＳＩ−ＲＳは、干渉よりもチャネル推定のためのものである。干渉測定専用の追加のパイロットを定義する代わりに、本開示では、この用途のために、小さな変更により、例えば上記の定義に基づいて、ＣＳＩ−ＲＳ構成の１つまたは複数を再利用することができる。例えば、Ｒｅｌ−１０では、ＣＳＩ−ＲＳポートの組合せの完全なリストによって、最大４０個のＣＳＩ−ＲＳポートのサポートが可能である（ノーマルＣＰ（サイクリック・プレフィックス）、２Ｔｘ（送信機））。単一セル送信では、８Ｔｘアンテナをサポートするために最大８つのＣＳＩ−ＲＳポートだけが必要であり、残りは、必要な場合に追加の再利用をサポートすることになる。
【００７６】
第４の実施形態で説明されたようにシンボル共通スクランブリングのみが実行されるとき、式（１１）は、
【数４０】
0006002243.tif 000041
のように簡略化することができることに留意されたい。
【００７７】
本実施形態によれば、３ＧＰＰ仕様書ＴＳ  ３６．２１１に対する小さな変更に基づいて、本開示の干渉測定メカニズムが容易に実装される。
【００７８】
（第５の実施形態）
図１３は、本開示の第５の実施形態による、参照信号をスクランブルする方法のフローチャートを示す図である。
【００７９】
図１３に示すように、本開示の第５の実施形態による方法１３００は、同じ時間および周波数リソースを有するリソースブロックの複数のレイヤの所定の無線リソース上に割り当てられた参照信号の複数のレイヤをスクランブルするために使用される。参照信号の第１のレイヤは、例えば、第１の送信ポイントから送信され、他のレイヤは、例えば、他の送信ポイントから送信されうる。ステップ１３０１では、参照信号の各レイヤは、同じ長さを有する複数の直交カバー・コード（ＯＣＣ）のうちの１つによって選択的に乗算される。参照信号の第１のレイヤに対して乗算されたＯＣＣは、参照信号の他のレイヤに対して乗算されたＯＣＣとは異なるように設定することができる。ステップ１３０２では、参照信号の他のレイヤのそれぞれに対して乗算されたＯＣＣから得られたシンボルのすべては、シンボル共通スクランブリング系列によって乗算される。シンボル共通スクランブリング系列は、同じＯＣＣによって乗算された参照信号について互いに異なるものとできる。
【００８０】
本実施形態によれば、上記ステップＳ１３０１は、直交化部８０１０によって実行することができ、上記ステップＳ１３０２は、スクランブリング部８０２０によって実行することができる。
【００８１】
本実施形態によれば、シンボル共通スクランブリング系列は、式（９）によって定義される
【数４１】
0006002243.tif 000042
として表され、その擬似ランダム系列生成器は、各ＯＦＤＭシンボルの開始の際に式（１０）によって初期化される。
【００８２】
本実施形態によれば、シンボル共通スクランブリング系列
【数４２】
0006002243.tif 000043
は、式（１２）に従って、アンテナ・ポートｐ上の参照シンボルとして使用される複素値変調シンボル
【数４３】
0006002243.tif 000044
にマップされる。
【００８３】
本実施形態によれば、図１３に示されないが、方法１３００は、参照信号の各レイヤに対して乗算されたＯＣＣから得られたシンボルのすべてを、参照信号の複数のレイヤのすべてに対して共通して設定することができる異なるシンボル固有スクランブリング系列によってそれぞれ乗算する第２のスクランブリング・ステップをさらに含むことができる。このステップは、スクランブリング部８０２０にて実行してよく、装置８０００内の別のスクランブリング部（図８に図示せず）にて実行してもよい。
【００８４】
本実施形態によれば、シンボル固有スクランブリング系列は、式（７）によって定義される
【数４４】
0006002243.tif 000045
として表され、その擬似ランダム系列生成器は、各ＯＦＤＭシンボルの開始の際に式（８）によって初期化される。
【００８５】
本実施形態によれば、シンボル固有スクランブリング系列
【数４５】
0006002243.tif 000046
および、シンボル共通スクランブリング系列
【００８６】
【数４６】
0006002243.tif 000047
は、式（１１）に従って、アンテナ・ポートｐ上の参照シンボルとして使用される複素値変調シンボル
【数４７】
0006002243.tif 000048
にマップされる。
【００８７】
本実施形態によれば、図１３に示されないが、方法１３００は、参照信号の第１のレイヤに対して乗算されたＯＣＣから得られたシンボルのすべてを、参照信号の他のレイヤに対して乗算されたシンボル共通スクランブリング系列のうちの１つと同じまたはすべてと異なる別のシンボル共通スクランブリング系列によって乗算する第３のスクランブリング・ステップをさらに含むことができる。このステップは、スクランブリング部８０２０によって実行されてよく、装置８０００におけるさらなるスクランブリング部（図８に図示せず）によって実行されてもよい。
【００８８】
本実施形態によれば、シンボル共通系列のためのランダム・シードは、セルＩＤ、ＣＳＩ−ＲＳ  ＩＤまたはＩＭ−ＲＳ  ＩＤに基づく。
【００８９】
本実施形態によれば、シンボル固有系列およびシンボル共通系列のためのランダム・シード、ならびにＯＣＣは、ポートごとに、ユーザ機器にシグナリングされるまたは指定されることになる。
【００９０】
本実施形態によれば、参照信号は干渉測定参照信号である。
【００９１】
本実施形態によれば、ＩＭ−ＲＳに対するＯＣＣおよびスクランブリングの構成によって、複数のＬＰＮからのＩＭ−ＲＳが、マクロ・ノードからのＩＭ−ＲＳと完全に直交し、また互いに準直交するように保たれる。したがって、ＬＰＮからの干渉を検出するとき、マクロ・ノードからの干渉は完全に除去されるとともに、他のＬＰＮからの干渉を効果的に減少させることができる。
【００９２】
（第６の実施形態）
図１４は、本開示の第６の実施形態による、参照信号をスクランブルする方法のフローチャートを示す図である。
【００９３】
図１４に示すように、本実施形態による方法１４００は、同じ時間および周波数リソースを有するリソースブロックの複数のレイヤの所定の無線リソース上に割り当てられた参照信号の複数のレイヤをスクランブルするために使用される。参照信号の複数のレイヤは、２つのセットにグループ分けすることができ、第１のセットは、例えば第１のグループの送信ポイントから送信されることができ、第２のセットは、例えば第２のグループの送信ポイントから送信されることができる。ステップＳ１４０１では、参照信号の各レイヤは、同じ長さを有する複数の直交カバー・コード（ＯＣＣ）のうちの１つによって選択的に乗算される。第１のセットに乗算されたＯＣＣは、第２のセットに乗算されたＯＣＣとは異なるように構成することができる。ステップＳ１４０２では、参照信号の各レイヤに対して乗算されたＯＣＣから得られたシンボルのすべてが、シンボル共通スクランブリング系列によって乗算される。シンボル共通スクランブリング系列は、同じＯＣＣによって乗算された参照信号について互いに異ならせることができる。
【００９４】
本実施形態によれば、上記ステップＳ１４０１は、直交化部８０１０によって実行することができ、上記ステップＳ１４０２は、スクランブリング部８０２０によって実行することができる。
【００９５】
本実施形態によれば、シンボル共通スクランブリング系列は、式（９）によって定義される
【数４８】
0006002243.tif 000049
として表され、その擬似ランダム系列生成器は、各ＯＦＤＭシンボルの開始の際に式（１０）によって初期化される。
【００９６】
本実施形態によれば、シンボル共通スクランブリング系列
【数４９】
0006002243.tif 000050
は、式（１２）に従って、アンテナ・ポートｐ上の参照シンボルとして使用される複素値変調シンボル
【数５０】
0006002243.tif 000051
にマップされる。
【００９７】
本実施形態によれば、図１４に示されないが、方法１４００は、参照信号の各レイヤに対して乗算されたＯＣＣから得られたシンボルのすべてを、参照信号の複数のレイヤのすべてに対して共通して設定することができる異なるシンボル固有スクランブリング系列によってそれぞれ乗算する第２のスクランブリング・ステップをさらに含むことができる。このステップは、スクランブリング部８０２０によって実行されてよく、装置８０００内の別のスクランブリング部（図８に図示せず）によって実行されてもよい。
【００９８】
本実施形態によれば、シンボル固有スクランブリング系列は、式（７）によって定義される
【数５１】
0006002243.tif 000052
として表され、その擬似ランダム系列生成器は、各ＯＦＤＭシンボルの開始の際に式（８）によって初期化される。
【００９９】
本実施形態によれば、シンボル固有スクランブリング系列
【数５２】
0006002243.tif 000053
および、シンボル共通スクランブリング系列
【数５３】
0006002243.tif 000054
は、式（１１）に従って、アンテナ・ポートｐ上の参照シンボルとして使用される複素値変調シンボル
【数５４】
0006002243.tif 000055
にマップされる。
【０１００】
本実施形態によれば、シンボル共通系列のためのランダム・シードは、セルＩＤまたはＣＳＩ−ＲＳ  ＩＤまたはＩＭ−ＲＳ  ＩＤに基づく。
【０１０１】
本実施形態によれば、シンボル共通系列およびシンボル固有系列のためのランダム・シード、ならびにＯＣＣは、ポートごとに、ユーザ機器にシグナリングされるまたは指定されることになる。
【０１０２】
本実施形態によれば、参照信号は干渉測定参照信号である。
【０１０３】
本実施形態によれば、ＩＭ−ＲＳに対するＯＣＣおよびスクランブリングの構成によって、複数のＬＰＮからのＩＭ−ＲＳが、複数のマクロ・ノードからのＩＭ−ＲＳと完全に直交するように保たれ、複数のＬＰＮの間および複数のマクロ・ノード間の準直交性が得られる。したがって、ＬＰＮからの干渉を検出するとき、マクロ・ノードからの干渉を完全に除去されるとともに、他のＬＰＮからの干渉を効果的に減少させることができる。
【０１０４】
上述の発明を実施するための形態では、ブロック図、フローチャート、および／または例を使用して、装置および／またはプロセスの様々な実施形態を示した。そのようなブロック図、フローチャート、または例が１つまたは複数の機能および／または動作を含む限りにおいて、そのようなブロック図、フローチャート、および／または例における各機能および／または動作が、広範囲のハードウェア、ソフトウェア、ファームウェア、またはそれらの実質的に任意の組合せによって、独立してかつ／または一緒に実装されうることは、当業者には理解されよう。一実施形態では、本明細書で説明した主題のいくつかの部分が、特定用途向け集積回路（ＡＳＩＣ）、フィールド・プログラマブル・ゲート・アレイ（ＦＰＧＡ）、デジタル信号プロセッサ（ＤＳＰ）、または他の集積形態を介して実装されうる。しかし、本明細書に開示された実施形態のいくつかの態様は、その全体または一部が、１つまたは複数のコンピュータ上で実行される１つまたは複数のコンピュータ・プログラムとして（例えば、１つまたは複数のコンピュータ・システム上で実行される１つまたは複数のプログラムとして）、１つまたは複数のプロセッサ上で実行される１つまたは複数のプログラムとして（例えば、１つまたは複数のマイクロプロセッサ上で実行される１つまたは複数のプログラムとして）、ファームウェアとして、あるいはこれらの実質的に任意の組合せとして、等価に集積回路に実装されうること、ならびに、ソフトウェアおよび／またはファームウェアのために回路を設計しかつ／またはコードを書くことが本開示に鑑みて十分に当業者の技能の範囲内であることは、当業者には認識されよう。さらに、本明細書で説明した主題の機構が様々な形態でプログラム製品として配布できること、および、その配布を実際に行うために使用される信号担持媒体の具体的なタイプに関わらず本明細書に説明した主題の例示的実施形態が適用されることは、当業者には理解されよう。信号担持媒体の例としては、以下に限定されないが、フロッピー（登録商標）ディスク、ハードディスク・ドライブ、コンパクト・ディスク（ＣＤ）、デジタル・ビデオ・ディスク（ＤＶＤ）、デジタル・テープ、コンピュータ・メモリなどの記録可能型媒体、ならびにデジタルおよび／またはアナログ通信媒体などの伝送型媒体（例えば、光ファイバ・ケーブル、導波管、有線通信リンク、無線通信リンクなど）がある。
【０１０５】
本明細書における実質的に任意の複数形および／または単数形の用語に関して、当業者は、文脈および／または用途に応じて、複数形から単数形および／または単数形から複数形に変換することができる。種々の単数形／複数形の置き換えは、本明細書では分かりやすくするために明示されることがある。
【０１０６】
様々な態様および実施形態が本明細書に開示されているが、他の態様および実施形態は当業者には明らかであろう。本明細書に開示された様々な態様および実施形態は、例示が目的であって限定を意図するものではなく、真の範囲および趣旨は添付の特許請求の範囲によって示される。
【図１】
0006002243.tif 000122
【図２】
0006002243.tif 000123
【図３】
0006002243.tif 000124
【図４】
0006002243.tif 000125
【図５】
0006002243.tif 000126
【図６】
0006002243.tif 000127
【図７】
0006002243.tif 000128
【図８】
0006002243.tif 000129
【図９】
0006002243.tif 000130
【図１０】
0006002243.tif 000131
【図１１】
0006002243.tif 000132
【図１２】
0006002243.tif 000133
【図１３】
0006002243.tif 000134
【図１４】
0006002243.tif 000135